(57)【特許請求の範囲】
【請求項１】
主ランプと、演出用ランプと、を備え、被取付部に取付けられる照明器具であって、
前記主ランプが搭載されている器具本体と、
前記演出用ランプが装着されている演出器具体と、
前記演出器具体を、回動軸の周りに回動可能に支持すると共に、前記器具本体の外側に設けられている支持体と、を有し、
前記支持体の、前記主ランプの光を照射する面、および、前記演出器具体の、前記演出用ランプの光を照射する面の各々の形状は、前記主ランプの光を照射する面および前記演出用ランプの光を照射する面の各々を、一つの連続する面上に配置可能な形状とされており、
前記一つの連続する面は、同一の平面または同一の曲面であり、
前記演出器具体は、
前記演出用ランプの光を照射する面が前記一つの連続する面上に配置された直接照明が得られる位置から、前記演出用ランプの光を照射する面が前記被取付け部に向いた間接照明が得られる位置まで、前記回動軸周りに回動することが可能であり、
前記支持体の少なくとも前記演出用ランプ近傍は透明もしくは半透明であり、かつ、前記支持体の少なくとも前記演出用ランプ近傍の表面または内面には凹凸が設けられていることを特徴とする照明器具。
【発明の詳細な説明】
【技術分野】
【０００１】
本発明は、主ランプの外周に、照射方向が可変な演出用ランプを備えた照明器具に関するものである。
【背景技術】
【０００２】
従来より、主ランプの外周に、照射方向が可変な演出用ランプを備えた照明器具が知られている（例えば特許文献１参照）。
特許文献１に記載の照明器具においては、主ランプが設けられている器具本体の外側に、発光ダイオードが取付けられている円筒状の発光筒を、ユニット支持器具で回動可能に支持することにより、照射方向が可変な演出用ランプを設けてある。
【特許文献１】特開２００８−１６４１０号公報
【発明の開示】
【発明が解決しようとする課題】
【０００３】
ところで、例えば、天井に取付けられ、主ランプの外周に照射方向が可変な演出用ランプを備えた照明器具においても、近年、意匠性の向上が望まれている。従って、演出用ランプによる照射方向が可変可能となるように支持する支持部においても、同様に意匠性の向上が望まれている。また、前述した特許文献１に記載の照明器具によれば、演出用ランプによって設定された方向に種々の色の照射光を照射して演出することができるものであるが、時には、主ランプの光と演出用ランプの光とが融合して、やわらかな光を演出したい場合もある。
【０００４】
本発明は、従来の問題を解決するためになされたもので、演出用ランプを備え意匠性を向上させることができる照明器具を提供することを目的とする。
【課題を解決するための手段】
【０００５】
本発明の照明器具は、主ランプと、演出用ランプと、を備え、被取付部に取付けられる照明器具であって、前記主ランプが搭載されている器具本体と、前記演出用ランプが装着されている演出器具体と、前記演出器具体を、回動軸の周りに回動可能に支持すると共に、前記器具本体の外側に設けられている支持体と、を有し、前記支持体の、前記主ランプの光を照射する面、および、前記演出器具体の、前記演出用ランプの光を照射する面の各々の形状は、前記主ランプの光を照射する面および前記演出用ランプの光を照射する面の各々を、一つの連続する面上に配置可能な形状とされており、前記一つの連続する面は、同一の平面または同一の曲面であり、前記演出器具体は、前記演出用ランプの光を照射する面が前記一つの連続する面上に配置された直接照明が得られる位置から、前記演出用ランプの光を照射する面が前記被取付け部に向いた間接照明が得られる位置まで、前記回動軸周りに回動することが可能であり、前記支持体の少なくとも前記演出用ランプ近傍は透明もしくは半透明であり、かつ、前記支持体の少なくとも前記演出用ランプ近傍の表面または内面には凹凸が設けられている構成を有している。
【０００６】
この構成により、主ランプの外周に、支持体により回動可能に設けられた演出器具体を回動させて、演出器具体に取付けられている演出用ランプの照射方向を変えることにより光による演出を行うことができる。この際、支持体における主ランプの照射方向側面と、演出器具体における演出用ランプの照射方向側面とを、連続面上に配置可能としたので、外観意匠性が向上する。
この構成により、器具本体の外周に設けられている支持体の少なくとも演出用ランプ近傍を透明もしくは半透明としたので、演出用ランプ近傍の支持体は、主ランプからの光が透過あるいは乱反射して仄かに明るくなり、演出用ランプ部分のみが明るく感じるのを弱めてやわらかな感じを演出することができる。
この構成により、支持体の少なくとも演出用ランプ近傍に凹凸を設けることにより、支持体を透過する光を乱反射させて、やわらかな感じを演出することができる。
【発明の効果】
【００１１】
本発明は、主ランプの外周に、支持体により回動可能に設けられた演出器具体を回動させて、演出器具体に取付けられている演出用ランプの照射方向を変えることにより光による演出を行うことができる。この際、支持体における主ランプの照射方向側面と、演出器具体における演出用ランプの照射方向側面とを、連続面上に配置可能としたので、外観意匠性が向上するという効果を有する照明器具を提供することができるものである。
【発明を実施するための最良の形態】
【００１２】
以下、本発明の実施の形態の照明器具について、図面を用いて説明する。
図１は本発明の第１実施形態にかかる照明器具における演出用ランプにより下方を照らす状態を示す斜視図、図２は同じく水平方向を照らす状態を示す斜視図、図３は同じく天井面を照らす状態を示す斜視図である。
【００１３】
図１〜図３に示すように、本発明の第１実施形態にかかる照明器具１０は、主に照射範囲を照明する主ランプである例えば円形の蛍光ランプ１１と、この蛍光ランプ１１および点灯装置等の電気部品（図示省略）を搭載する例えば円板状の器具本体１２を有しており、蛍光ランプ１１および器具本体１２を覆う透明あるいは半透明のカバー１３を有している。この照明器具１０は、例えば被取付部である天井１４に取付けて使用することができる。
【００１４】
器具本体１２の外周には、１個または複数個（ここでは、例えば２個）の演出用照明２０が設けられている。演出用照明２０では、演出用ランプ２１を装着した演出器具体２２が、１対の支持体であるアーム２３、２３によって両側から回動可能に支持されており、演出用ランプ２１の照射方向は、蛍光ランプ１１の照射方向（図１においては下方）を含む面内、すなわち両アーム２３、２３の回動軸（図示省略）を結ぶ直線に直交する鉛直面内で可変となっている。なお、演出用ランプ２１としては、白熱灯、蛍光灯、ＬＥＤ等を用いて、種々の色を照射するようにすることができる。
【００１５】
演出器具体２２における演出用ランプ２１の照射方向側面（すなわち、ここでは下面）２２ａと、アーム２３における主ランプの照射方向側面（すなわち、ここでは下面）２３ａとは、演出用ランプ２１が下方を照射する状態（図１に示す状態）で、両面２２ａ、２３ａが連続面を形成するように設けられている。なお、図１に示すように、両面２２ａ、２３ａは同一平面上で連続するように設けることができるが、その他、同一円柱面上や、同一球面上でも可能である。
【００１６】
従って、演出用ランプ２１は、演出器具体２２を回動させることにより、図１に示すような下方を照射する状態から、図２に示すような水平方向を照射する状態、および図３に示すように天井１４面を照射する状態まで、照射方向を変えることができる。これにより、例えば、演出用照明２０を天井１４に向けることにより、間接照明を得ることができ、やわらかな照明を得ることができる。
【００１７】
以上、説明した第１実施形態にかかる照明器具１０によれば、円形の蛍光ランプ１１の外周に、アーム２３により回動可能に設けられた演出器具体２２を回動させて、演出器具体２２に取付けられている演出用ランプ２１の照射方向を変えることにより光による演出を行うことができる。この際、アーム２３の下面２３ａと、演出器具体２２の下面２２ａとを、連続する面上に配置可能としたので、外観意匠性が向上する。
【００１８】
次に、本発明の第２実施形態にかかる照明器具１０Ｂについて、図に基づいて説明する。
図４は第２実施形態にかかる照明器具の斜視図である。なお、前述した第１実施形態にかかる照明器具１０と共通する部位には同じ符号を付して、重複する説明を省略することとする。
【００１９】
図４に示すように、第２実施形態にかかる照明器具１０Ｂでは、演出用ランプ２１を装着した演出器具体２２が、１対の支持体である枠体２４、２４によって両側から上下方向に回動可能に支持されている。枠体２４は、ここでは演出用照明２０が２個設けられているので、略半円形をしており、２個の枠体２４、２４と２個の演出用照明２０の演出器具体２２によって、カバー１３の外側に全周にわたって設けられている。すなわち、演出用照明２０の数に応じて、枠体２４と演出器具体２２によって、カバー１３の外側を全周にわたって覆うようにする。なお、枠体２４の下面と、演出器具体２２の下面２２ａは、連続するように設けられている。
【００２０】
枠体２４は、少なくとも演出用ランプ近傍（すなわち、演出用照明２０の近傍）を透明もしくは半透明の材料で形成するのが望ましい。
これにより、演出用ランプ２１近傍の枠体２４は、蛍光ランプ１１からの光が透過あるいは乱反射して仄かに明るくなり、演出用ランプ２１部分のみが明るく感じるのを弱めてやわらかな感じを演出することができる。
【００２１】
また、枠体２４の少なくとも演出用ランプ２１近傍に凹凸２４ｂを設けるのが望ましい。凹凸２４ｂは、枠体２４の表面（下面２４ａ）であっても良いし、枠体２４の内面であっても良い。
これにより、一層やわらかな感じを演出することができる。
【００２２】
なお、本発明の照明器具は、前述した各実施形態に限定されるものでなく、適宜な変形，改良等が可能である。
例えば、前述した各実施形態において、主ランプとして円形の蛍光ランプ１１を用いるとともに、円形の器具本体１２を用いた場合について説明したが、直管タイプの蛍光ランプを用いるとともに、矩形の器具本体を用いる場合にも適用可能である。また、演出用ランプ２１の個数も限定するものではない。
【００２３】
また、前述した各実施形態においては、照明器具１０，１０Ｂを被取付部としての天井１４に取付ける場合について説明したが、その他の壁に取付けて使用することも可能である。
【００２４】
また、前述した第２実施形態にかかる枠体２４を透明あるいは半透明部材とするとともに凹凸２４ｂを設けた場合について説明したが、第１実施形態におけるアーム２３も同様に透明あるいは半透明部材とするとともに凹凸を設けても良い。
【図面の簡単な説明】
【００２５】
【図１】本発明の第１実施形態にかかる照明器具における演出用ランプにより下方を照らす状態を示す斜視図
【図２】第１実施形態にかかる照明器具において水平方向を照らす状態を示す斜視図
【図３】第１実施形態にかかる照明器具において天井面を照らす状態を示す斜視図
【図４】本発明の第２実施形態にかかる照明器具における演出用ランプにより下方を照らす状態を示す斜視図
【符号の説明】
【００２６】
１０  照明器具
１１  蛍光ランプ（主ランプ）
１２  器具本体
２１  演出用ランプ
２２  演出器具体
２２ａ  下面（演出用ランプの照射方向側面）
２３  アーム（支持体）
２３ａ  下面（主ランプの照射方向側面）
２４  枠体（支持体）
２４ｂ  凹凸
【図１】
0005311625.tif 000002
【図２】
0005311625.tif 000003
【図３】
0005311625.tif 000004
【図４】
0005311625.tif 000005